(57)【要約】【課題】各種のデジタルデータを一括して放送する場合に、受信機が放送局側の意図する番組を優先的に再生できるようにする。【解決手段】複数種類の番組について、番組のデジタルデータと、その識別コードとをパッケージ化する。番組のデジタルデータと、その番組に対して放送局側の意図するプライオリティを示すデータとのテーブルをパッケージ化する。このテーブルのパッケージと、番組のパッケージとをパケット化して放送する。受信したパケットからテーブルを取り出す（ステップ１０３）。取り出したテーブルと、自身の仕様とにしたがって、フィルタテーブルを作成する（ステップ１０４）。フィルタテーブルにしたがって、受信したパケットから該当する番組のデジタルデータを取り出す（ステップ１１３）。取り出した番組データを画像あるいは音響として出力する。【選択図】        図９
2005020213.tif 000002
【特許請求の範囲】
【請求項１】
番組として再生されるデジタルデータと、このデジタルデータの種類を示す識別コードとを、上記番組として再生されるデジタルデータごとに、それぞれパッケージ化し、
上記番組として再生されるデジタルデータと、上記番組に対して放送局側の意図するプライオリティを示すデータとのテーブルをパッケージ化し、
このテーブルのパッケージと、上記番組として再生されるデジタルデータごとのパッケージとをパケット化して放送するようにしたデジタルデータの放送方法。
【請求項２】
番組として再生されるデジタルデータと、このデジタルデータの種類を示す識別コードとが、上記番組として再生されるデジタルデータごとに、それぞれパッケージ化され、
上記番組として再生されるデジタルデータと、上記番組に対して放送局側の意図するプライオリティを示すデータとのテーブルが、パッケージ化され、
このテーブルのパッケージと、上記番組として再生されるデジタルデータごとのパッケージとがパケット化されて放送されるデジタルデータ放送を受信する受信機において、
受信した上記パケットから上記テーブルを取り出す第１の回路と、
上記取り出したテーブルと、ユーザの指示あるいは自身の仕様とにしたがって、受信する番組データを、識別コードにより示したフィルタテーブルを作成する第２の回路と、
上記受信したパケットのパッケージに含まれる識別コードが、上記フィルタテーブルに含まれるとき、その識別コードに対応する番組データを、上記受信したパケットのパッケージから取り出すフィルタ回路と、
このフィルタ回路により取り出された番組データを画像あるいは音響として出力する出力手段とを有するデジタルデータ放送の受信機。
【発明の詳細な説明】
【０００１】
【発明の属する技術分野】
この発明は、デジタルデータの放送方法およびその受信機に関する。
【０００２】
【従来の技術】
動画データ、静止画データ、文字データ、音声データなどのデータを、１つの放送波で一緒に放送することのできる放送システムとして、次のようなものが考えられている。
【０００３】
図１２Ａは、その放送システムにおいて放送される伝送データのフォーマットを示す。この伝送データは連続する複数のパケットから構成されるものであり、各パケットは複数Ｎ個のパッケージから構成される。
【０００４】
この場合、パッケージは、例えば図１２Ｂにも示すように、ヘッダと番組データとから構成され、ヘッダは、同期データおよび識別コードから構成される。ここで、同期データは、これに続くデータに対する同期を取るとともに、パッケージの開始位置を示すためのものである。また、識別コードは、これに続く番組データの種類を示すものであり、番組データは、番組として再生されるデータであり、動画データ、静止画データ、文字データ、音声データなどである。
【０００５】
さらに、番組データとなる動画データは、もとの動画データが例えばＭＰＥＧ方式によりエンコードされるとともに、所定のデータ量ずつに分割され、各パケットに順に分配されたものである。また、静止画データ、文字データおよび音声データも、動画データと同様、原データがそれぞれに適したデータ圧縮方式によりエンコードされ、所定のデータ量ずつ各パッケージに分配されたものである。
【０００６】
なお、１つのパケットに含まれる動画データのパッケージの数、静止画データのパッケージの数、文字データのパッケージの数、音声データのパッケージの数、およびそれらのパッケージの順序は、パケットの許す範囲において任意である。また、この図１２Ａに示す伝送データは、この伝送データにより所定のキャリア信号を変調して受信機へと送信される。
【０００７】
そして、送信されるデータが上記のようなフォーマットとされているので、受信機は例えば図１３に示すように構成される。すなわち、図１３の受信機においては、放送局から送信されてきた放送波がアンテナ１１により受信され、その受信信号がチューナ回路１２に供給されて図１２Ａに示す伝送データが復調されて取り出され、この伝送データがフィルタ回路１３に供給される。このフィルタ回路１３は、図１２Ａに示すパケットのパッケージのうち、ユーザの入力した識別コードと等しい識別コードを有するパッケージをフィルタリングないし選択して取り出すものである。
【０００８】
したがって、ユーザが動画データの識別コードを入力したときには、パケットのうち、動画データを有するパッケージがフィルタ回路１３から取り出されるが、この取り出された動画データがデコーダ回路１４Ａに供給されてもとの連続した動画データにデコードされ、このデコード結果の動画データが映像処理回路１５によりＤ／Ａ変換などの処理がされてから第１のディスプレイ１６Ａに供給され、ディスプレイ１６Ａには、その動画データによる動画が表示される。
【０００９】
また、ユーザが静止画データの識別コードを入力したときには、パケットのうち、静止画データを有するパッケージがフィルタ回路１３から取り出され、この取り出された静止画データがデコーダ回路１４Ｂに供給されてもとの静止画データにデコードされ、このデコード結果の静止画データが映像処理回路１５に供給され、したがって、ディスプレイ１６Ａには、その静止画データによる静止画が表示される。
【００１０】
さらに、ユーザ文字データの識別コードを入力したときには、パケットのうち、文字データを有するパッケージがフィルタ回路１３から取り出され、この取り出された文字データがデコーダ回路１４Ｃに供給されてもとの文字データにデコードされ、このデコード結果の文字データが映像処理回路１５により表示信号に変換されてから第２のディスプレイ１６Ｂに供給され、ディスプレイ１６Ｂには、その文字データによるテキストが表示される。
【００１１】
また、ユーザが音声データの識別コードを入力したときには、パケットのうち、音声データを有するパッケージがフィルタ回路１３から取り出され、この取り出された音声データがデコーダ回路１４Ｄに供給されてもとの連続した音声データにデコードされ、このデコード結果の音声データが音声処理回路１７によりＤ／Ａ変換などの処理がされてからスピーカ１８に供給され、スピーカ１８からはその音声データによる音響が出力される。
【００１２】
こうして、図１３の受信機によれば、動画、静止画、テキスト、音声をそれぞれ視聴することができるが、ユーザが識別コードを入力するとき、動画あるいは静止画と、テキストと、音声とを同時に指定することも可能なので、放送されている動画あるいは静止画と、テキストと、音声とを任意の組み合わせで視聴することができる。
【００１３】
また、例えば、図１４Ａに示すように静止画系と音声系とを有する受信機を構成したり、図１４Ｂに示すようにテキスト系と音声系とを有する受信機を構成したり、あるいは図１４Ｃに示すように音声系だけを有する受信機を構成したりすることもできる。すなわち、同じ放送に対して、受信機に必要とされる機能に応じてその構成を変更することができ、ユーザも必要に応じて受信機を選択することができる。
【００１４】
また、このように受信機の機能あるいは仕様が多岐にわたっても、放送局側は受信機の仕様にかかわらず番組を編成することができ、番組編成に要するコストを削減することができる（例えば、特許文献１参照）。
【００１５】
【特許文献１】
特開２００２−３３０１１０号公報
【００１６】
【発明が解決しようとする課題】
ところが、上述の放送システムにおいては、受信機側では放送局側の意向がわからないので、例えば２つの動画データが放送されている場合、受信機側はどちらの動画データを再生すればよいのかが明確でないという問題がある。
【００１７】
この発明は、このような問題点を解決しようとするものである。
【００１８】
【課題を解決するための手段】
この発明においては、
番組として再生されるデジタルデータと、このデジタルデータの種類を示す識別コードとが、上記番組として再生されるデジタルデータごとに、それぞれパッケージ化され、
上記番組として再生されるデジタルデータと、上記番組に対して放送局側の意図するプライオリティを示すデータとのテーブルが、パッケージ化され、
このテーブルのパッケージと、上記番組として再生されるデジタルデータごとのパッケージとがパケット化されて放送されるデジタルデータ放送を受信する受信機において、
受信した上記パケットから上記テーブルを取り出す第１の回路と、
上記取り出したテーブルと、ユーザの指示あるいは自身の仕様とにしたがって、受信する番組データを、識別コードにより示したフィルタテーブルを作成する第２の回路と、
上記受信したパケットのパッケージに含まれる識別コードが、上記フィルタテーブルに含まれるとき、その識別コードに対応する番組データを、上記受信したパケットのパッケージから取り出すフィルタ回路と、
このフィルタ回路により取り出された番組データを画像あるいは音響として出力する出力手段とを有するデジタルデータ放送の受信機
とするものである。
【００１９】
したがって、受信機は、放送局側の意図にしたがった番組を再生することになる。
【００２０】
【発明の実施の形態】
（１）  データフォーマット
図１Ａは、この発明における放送システムにより放送される伝送データのフォーマットを示す。この伝送データは連続する複数のパケットから構成されるものであり、各パケットは複数Ｎ個のパッケージから構成される。
【００２１】
そして、パッケージは、例えば図１Ｂにも示すように、ヘッダと番組データとから構成され、ヘッダは、同期データおよび識別コードから構成される。ここで、同期データは、これに続くデータに対する同期を取るとともに、パッケージの開始位置を示すためのものであり、識別コードは、これに続く番組データの種類を示すものである（詳細は後述する）。
【００２２】
そして、番組データは、各パケットにおける第１番目のパッケージのときには、図１Ｃに示すように、送信プライオリティテーブル（詳細は後述する）とされ、各パケットにおける第２番目〜第Ｎ番目のパッケージのときには、番組として再生されるデータであり、この例においては、図１Ｄに示すように、動画データ、静止画データ、文字データ、音声データとされる。
【００２３】
この場合、番組データとなる動画データは、もとの動画データがＭＰＥＧ４方式あるいはＭＰＥＧ１方式によりエンコードされるとともに、所定のデータ量ずつに分割され、各パケットに順に分配されたものである。また、静止画データは、もとの静止画データがＪＰＥＧ方式によりエンコードされるとともに、所定のデータ量ずつに分割され、各パケットに順に分配されたものである。
【００２４】
さらに、文字データは、もとのテキストをＡＳＣＩＩコードやＪＩＳコードなどにより表現したものである。また、音声データは、もとのリニアなＰＣＭオーディオデータがＡＡＣ方式あるいはＭＰ３方式によりエンコードされるとともに、所定のデータ量ずつに分割され、各パケットに順に分配されたものである。
【００２５】
なお、１つのパケットに含まれる動画データのパッケージの数、静止画データのパッケージの数、文字データのパッケージの数、音声データのパッケージの数、およびそれらのパッケージの順序は、パケットの許す範囲において任意であり、放送局により設定される。また、この図１Ａに示す伝送データは、この伝送データにより所定のキャリア信号を変調して受信機へと送信される。
【００２６】
（２）  識別コード
図２は、識別コードと、番組データとの対応表を示し、かっこ内は、対応する番組データのエンコード方式（データ圧縮方式）を示す。例えば、識別コードが「１」のときには、番組データはＭＰＥＧ４方式の第１の動画データであり、識別コードが「２」のときには、番組データはＡＡＣ方式の第１の音声データである。また、識別コードが「４」のときには、番組データはデータ圧縮された文字データであり、識別コードが「９」のときには、番組データは各パケットの第１番目のパッケージにおける送信プライオリティテーブルである。
【００２７】
なお、この対応テーブルは、識別コードと、番組データのエンコード方式（受信機側にとってはデコード方式）との対応表でもある。このため、以下の説明においては、この識別コードと番組データとの関係は固定であり、放送局および受信機は既知であるとする。
【００２８】
（３）  送信プライオリティテーブル
図３は、各パケットの第１番目のパッケージにより送信される送信プライオリティテーブルの一例を示す。このテーブルは、番組データと、その番組データに放送局側が与えた再生のプライオリティとの対応表である。このテーブルにおいて、プライオリティは、表示データ（動画データ、静止画データおよび文字データ）と、音声データとでは独立に設定される。また、表示データおよび音声データのそれぞれにおいて、複数のデータに対してプライオリティが等しくなることはない。
【００２９】
さらに、このプライオリティは、同時に放送される番組データにしたがって任意に変更できるものである。つまり、放送局側が各番組に対して意図しているプライオリティにしたがって変更されるものである。例えば、主音声と副音声の関係にある２つの音声データを放送するときには、主音声の音声データのプライオリティが、副音声の音声データのプライオリティよりも高くされる。なお、この例においては、プライオリティは「１」〜「７」であり、値が大きくなるほどプライオリティが高くなり、「７」のとき、プライオリティは最高であるとする。
【００３０】
図３の例の場合、表示データにおいては、静止画データのプライオリティは「７」で最高であり、文字データのプライオリティは「３」で最低である。また、音声データにおいては、第１の音声データのプライオリティは「７」で最高であり、第３の音声データのプライオリティは「５」で最低である。
【００３１】
（４）  受信機のプロファイル
この例においては、受信機は、動画用および静止画用の第１のディスプレイと、テキスト用の第２のディスプレイと、音声用のスピーカとを有し、例えば図４に示すようなプロファイルであるとする。このプロファイルには、受信機の仕様が含まれるとともに、ユーザ入力による選択が含まれている。なお、このプロファイルの第２項および第９項で、「放送局側に任せる」とあるのは、複数の画像（あるいは音声）が放送されているときには、それらを再生するときのプライオリティを受信機側で決めずに、放送局側の意図にしたがって決めることを示す。
【００３２】
（５）  受信プライオリティテーブル
受信機には、例えば図５に示す内容の受信プライオリティテーブルが用意される。この受信プライオリティテーブルは、受信した番組データと、その番組データを画像あるいは音声として再生するときのプライオリティとの対応表である。
【００３３】
この受信プライオリティテーブルは、図４のプロファイルおよび下記のルールにしたがって作成される。なお、この例においても、プライオリティの数値が大きくなるほどプライオリティが高くなり、数値が「７」のとき、プライオリティは最高であるとする。すなわち、
［１］  再生できないデータのプライオリティは「１」とする。
［２］  ２つのディスプレイのそれぞれについて、プライオリティをつける。
【００３４】
なお、この受信プライオリティテーブルの内容は、受信機のメーカが、受信機のプロファイルにしたがってデフォルトとして設定しておくことができ、あるいはそのデフォルト値をユーザ可変とすることができる。
【００３５】
以上のことから、受信プライオリティテーブルは図５に示す内容とされる。すなわち、図４のプロファイルの第２項によれば、動画が２つ以上放送された場合には、放送局側の意図にしたがうので、受信プライオリティテーブルにおいて、第１の動画データと、第３の動画データとは、ともにプライオリティが「７」とされる。また、図４のプロファイルの第５項によれば、動画と静止画とが放送された場合には、動画を表示するのであるから、受信プライオリティテーブルにおいて、静止画データのプライオリティは、第１および第３の動画データのプライオリティ「７」よりも小さい「６」とされる。
【００３６】
さらに、文字データ、第１および第２の音声データについても、同様にプライオリティが設定される。また、図４のプロファイルの第１項および第８項によれば、ＭＰＥＧ１方式の動画およびＭＰ３方式の音声は再生しないので、上記ルール［１］により、受信プライオリティテーブルにおいて、第２の動画データと、第３の音声データとは、プライオリティがともに「１」とされる。
【００３７】
（６）  フィルタリング
受信機においては、受信した伝送データ（図１）から目的とする番組データを選択ないしフィルタリングして取り出すわけであるが、そのフィルタリングのルールは、以下のとおりとされる。
【００３８】
〔１〕  受信プライオリティテーブルのプライオリティが「１」のデータは除外する。
〔２〕  受信プライオリティテーブルのプライオリティの順位と、送信プライオリティテーブルのプライオリティの順位とが一致しない場合には、受信プライオリティテーブルのプライオリティを採用する。
〔３〕  受信プライオリティテーブルのプライオリティが同じ場合には、送信プライオリティを採用する。
【００３９】
したがって、図３の送信プライオリティテーブルおよび図５の受信プライオリティテーブルによりフィルタリングを行うとき、そのフィルタ回路（図１３のフィルタ回路１３に対応）のフィルタリング特性は例えば図６に示すようになる。
【００４０】
すなわち、まず、第１のディスプレイに表示される画像は動画あるいは静止画であるが、それらの画像データとして、表示データ（識別コード「１」、「３」、「５」、「７」）がある。しかし、上記のフィルタリングのルール〔１〕により、第２の動画データ（識別コード「３」）は除外され、ルール〔２〕により、静止画データ（識別コード「７」）も除外される。
【００４１】
この結果、第１のディスプレイの表示候補は、第１および第３の動画データ（識別コード「１」、「５」）となるが、ルール〔３〕により、第３の動画データ（識別コード「５」）が除外される。したがって、第１のディスプレイには、第１の動画データ（識別コード「１」）の動画を表示することになるので、フィルタ回路の第１のディスプレイ用のフィルタリング特性は、識別コード「１」のデータ（第１の動画データ）を選択するものとなる。
【００４２】
また、第２のディスプレイに表示される画像は文字データであるが、この例においては、識別コード「４」の文字データしかない。したがって、フィルタ回路の第２のディスプレイ用のフィルタリング特性は、識別コード「４」の文字データを選択するものとなる。
【００４３】
さらに、スピーカから再生される音声は、音声データとして第１〜第３の音声データ（識別コード「２」、「６」、「８」）がある。しかし、フィルタリングのルール〔１〕により、第３の音声データ（識別コード「８」）は除外される。また、ルール〔３〕により、第２の音声データ（識別コード「６」）が除外される。したがって、スピーカからは、第１の音声データ（識別コード「２」）の音声を出力することになるので、フィルタ回路のスピーカ用のフィルタリング特性は、識別コード「２」のデータ（第１の音声データ）を選択するものとなる。
【００４４】
こうして、フィルタ回路は図６に示すようなフィルタリング特性を持つことになる。そして、この場合には、第１のディスプレイには第１の動画データによる動画が表示され、第２のディスプレイには文字データによるテキストが表示され、スピーカからは第１の音声データによる音声が出力される。なお、詳細は後述するが、図６に示す内容はフィルタテーブルとしてテーブル化され、そのフィルタテーブルにしたがってフィルタ回路が番組データをフィルタリングする。
【００４５】
（７）  放送局（放送システム）
（１）項に示すデータフォーマットにより、動画データ、静止画データ、文字データおよび音声データを放送するので、その放送局ないし放送システムは、例えば図７に示すように構成される。
【００４６】
すなわち、番組ソース３１Ａ〜３１Ｄに、動画データ、静止画データ、文字データ、音声データがそれぞれ用意されるとともに、ソース３１Ｅに送信プライオリティテーブルが用意される。そして、これらソース３１Ａ〜３１Ｅのデータが、編成システム３２に供給されて番組編成にしたがってパッケージ化されるとともに、パケット列の伝送データ（図１Ａ）とされる。この伝送データは送出システム３３に送られて送信信号とされ、送信アンテナ３４から受信機へと送信される。
【００４７】
なお、編成システム３２において各データがパッケージ化されるとき、（１）項により説明したように、各パッケージには、同期コードが付加されるとともに、そのパッケージの番組データに対応した識別コードが付加される。また、（３）項により説明したように、各パケットの第１番目のパッケージは、例えば図３に示す送信プライオリティテーブルを有する。
【００４８】
（８）  受信機
受信機は、例えば図８に示すように構成することができる。すなわち、放送局から送信されてきた放送波がアンテナ１１により受信され、その受信信号がチューナ回路１２に供給されて図１Ａに示す伝送データが復調されて取り出され、この伝送データがフィルタ回路１３に供給される。
【００４９】
このフィルタ回路１３は、図１Ａに示すパッケージのうち、後述するマイクロコンピュータ２０から供給される識別コードと等しい識別コードを有するパッケージの番組データをフィルタリングないし選択して取り出すものである。このため、フィルタ回路１３は、例えばゲート回路により構成され、マイクロコンピュータ２０からの制御信号にしたがって、伝送データから該当するパッケージの番組データを取り出すものである。
【００５０】
そして、フィルタ回路１３から例えば動画データが取り出されたときには、その動画データがデコーダ回路１４Ａに供給されてもとの連続した動画データにデコードされ、このデコード結果の動画データが映像処理回路１５によりＤ／Ａ変換などの処理がされてから例えばＬＣＤにより構成された第１のディスプレイ１６Ａに供給され、ディスプレイ１６Ａには、その動画データによる動画が表示される。
【００５１】
また、フィルタ回路１３から静止画データが取り出されたときには、その静止画データがデコーダ回路１４Ｂに供給されてもとの静止画データにデコードされ、このデコード結果の静止画データが映像処理回路１５に供給され、したがって、ディスプレイ１６Ａには、その静止画データによる静止画が表示される。
【００５２】
さらに、フィルタ回路１３から文字データが取り出されたときには、その文字データがデコーダ回路１４Ｃに供給されてもとの文字データにデコードされ、このデコード結果の文字データが映像処理回路１５により表示信号に変換されてから例えばＬＣＤにより構成された第２のディスプレイ１６Ｂに供給され、ディスプレイ１６Ｂには、その文字データによるテキストが表示される。
【００５３】
また、フィルタ回路１３から音声データが取り出されたときには、その音声データがデコーダ回路１４Ｄに供給されてもとの連続した音声データにデコードされ、このデコード結果の音声データが音声処理回路１７によりＤ／Ａ変換などの処理がされてからスピーカ１８Ｌ、１８Ｒに供給され、スピーカ１８Ｌ、１８Ｒからはその音声データによるステレオ音響が出力される。
【００５４】
そして、システム制御回路がマイクロコンピュータ２０により構成される。このマイクロコンピュータ２０は、プログラムを実行するＣＰＵ２１と、そのプログラムの書き込まれているＲＯＭ２２と、ワークエリア用のＲＡＭ２３と、電源を切ったときでも必要なデータを保持しておくための不揮発性メモリ２４とを有する。
【００５５】
この場合、ＲＯＭ２２には、ＣＰＵ２１が実行するプログラムの一部として、例えば図９に示すルーチン１００が用意される。このルーチン１００は、フィルタ回路１３のフィルタリング特性を設定するためのものであるが、その詳細については後述する。なお、図９においては、ルーチン１００は、この発明に関係する部分だけを抜粋して示している。また、不揮発性メモリ２４には、受信プライオリティテーブルが用意される。この受信プライオリティテーブルは、（５）項で述べたように、この受信機の仕様に対応した内容とされている。
【００５６】
さらに、マイクロコンピュータ２０には、ユーザからの指示の入力手段として各種の操作スイッチ２５が接続される。そして、チューナ回路１２からフィルタ回路１３に供給される伝送データ（図１Ａ）が、マイクロコンピュータ２０にも供給される。また、マイクロコンピュータ２０からそれぞれの回路１２〜１５、１７に制御信号が供給され、例えばチューナ回路１２が制御されることにより選局が行われる。
【００５７】
そして、操作スイッチ２５により番組の受信を指示すると、ＣＰＵ２１の処理がルーチン１００のステップ１０１からスタートし、次にステップ１０２において、チューナ回路１２からマイクロコンピュータ２０に供給される伝送データに含まれる識別コードのうち、識別コード「９」の受信待ちとなる。
【００５８】
この識別コード「９」が受信されると、処理はステップ１０３に進み、このステップ１０３において、その識別コード「９」に続く送信プライオリティテーブルがマイクロコンピュータ２０に取り込まれ、次にステップ１０４において、ステップ１０３により取り込んだ送信プライオリティテーブルと、メモリ２４の受信プライオリティテーブルとから、例えば図６のフィルタリング特性を与えるフィルタテーブルが作成される。
【００５９】
続いて、ステップ１０５において、チューナ回路１２から出力されている伝送データの１パケットが終了したかどうかが判別され、１パケットを終了していないときには、処理はステップ１０５からステップ１１１に進み、このステップ１１１において、識別コードの受信待ちとなる。そして、識別コードが受信されると、処理はステップ１１２に進み、このステップ１１２において、ステップ１１１により受信した識別コードが、ステップ１０４により作成したフィルタテーブルに含まれているかどうかが判別される。
【００６０】
そして、受信した識別コードがフィルタテーブルに含まれているときには、処理はステップ１１２からステップ１１３に進み、フィルタ回路１３に所定の制御信号を供給してその識別コードに続いて送られてくる番組データをフィルタ回路１３により取り出し、デコーダ回路１４Ａ〜１４Ｄのうち、対応するデコーダ回路に供給する。
【００６１】
そして、その後、処理はステップ１０５に戻り、ステップ１０５以降の処理が繰り返される。なお、ステップ１１２において、ステップ１１１により受信した識別コードがステップ１０４により作成したフィルタテーブルに含まれていないときには、処理はステップ１１２からステップ１０５に戻り、その識別コードに続いて送られてくる番組データは無視される。
【００６２】
したがって、ステップ１１１により受信した識別コードが、ステップ１０４により作成したフィルタテーブルに含まれているときには、その識別コードに対応する番組データから画像あるいは音声の再生が行われることになる。
【００６３】
また、１つのパケットについて以上の処理が終了すると、これがステップ１０５により判別され、処理はステップ１０５からステップ１０２に戻り、以後、次のパケットについて、同様の処理が繰り返される。
【００６４】
こうして、ルーチン１００によれば、例えば図６に示すフィルタリング特性の場合、フィルタ回路１３からは、第１の動画データと、文字データと、第１の音声データとが取り出され、これらデータが、デコーダ回路１４Ａ、１４Ｃ、１４Ｄにそれぞれ供給されることになる。したがって、第１のディスプレイ１６Ａには第１の動画データによる動画が表示され、第２のディスプレイ１６Ｂには文字データによるテキストが表示され、さらに、スピーカ１８Ｌ、１８Ｒからは第１の音声データによる音響が出力される。
【００６５】
そして、この場合、図３の送信プライオリティテーブルによれば、第１のディスプレイ１６Ａに表示される第１の動画データは、この受信機で表示できる動画データのうち、送信プライオリティテーブルのプライオリティが最も高い動画データであるから、第１の動画データを表示することは、放送局の意図にしたがっていることになる。また、第１の音声データも、この受信機で再生できる音声データのうち、送信プライオリティテーブルのプライオリティが最も高い音声データであるから、第１の音声データを再生することは、やはり放送局の意図にしたがっていることになる。
【００６６】
したがって、この受信機２０は、放送局の意図したデータを再生することができる。さらに、図１４Ａ〜Ｃの受信機と同様の受信機を構成することができるとともに、それらの受信機においても、放送局の意図したデータを再生することができる。
【００６７】
また、例えば図５の受信プライオリティテーブルにおいて、第１の音声データのプライオリティを「６」に変更し、第２の音声データのプライオリティを「７」に変更すると、フィルタ回路１３のフィルタリング特性のルール〔２〕により、フィルタ回路１３からは第２の音声データが出力されることになり、その第２の音声データによる音響が再生される。したがって、受信プライオリティテーブルのプライオリティを変更すると、再生出力を変更することができ、受信機側の要望を生かすこともできる。
【００６８】
（９）  送信プライオリティの他の例
図１０および図１１は、コマーシャル（広告）を放送する場合に、その放送に料金にしたがったプライオリティを与えるようにした例を示す。すなわち、テレビやラジオを通じてコマーシャルを放送する場合、その放送時間帯が、プライムタイムであるかゴールデンタイムであるかなどによってコマーシャルの放送料金は異なるが、この例においては、図１０に示すように、コマーシャルの放送料金に放送局側のプライオリティを割り当てる。
【００６９】
そして、例えば図１１に示すように、第１のコマーシャルＣＭ１を第１の動画データ（識別コード「１」）で放送する場合には、そのプライオリティは「７」とされ、第２のコマーシャルＣＭ２を文字データ（識別コード「４」）で放送する場合には、そのプライオリティは「３」とされ、・・・のようにコマーシャルＣＭ１〜ＣＭ４に、それらのプライオリティが割り付けられる。
【００７０】
このようにプライオリティを割り付けてコマーシャルＣＭ１〜ＣＭ４を放送すると、受信機の機能に対応してコマーシャルが再生されるが、コマーシャルＣＭ１〜ＣＭ４を同時に放送できるので、多くの広告主を得ることができる。さらに、これまでのようにコマーシャルの放送時間帯別にコマーシャル料金を設定するといった画一的な料金設定ではないので、広告主は自分の所望の料金にしたがって広告を放送することができる。また、これにより、放送事業者は、より多くの広告主を得ることができる。
【００７１】
（１０）  その他
上述においては、第１のディスプレイ１６Ａと、第２のディスプレイ１６Ｂとが別個の場合であるが、同一のディスプレイの表示領域を、第１および第２の表示領域に分け、これらの表示領域を第１のディスプレイ１６Ａおよび第２のディスプレイ１６Ｂに対応させることもできる。また、受信機１０の映像処理回路１５が、ＯＳＤなどの機能を有する場合には、動画やテキストなどの複数の画像を合成して表示することもできる。
【００７２】
さらに、上述においては、マイクロコンピュータ２０がフィルタテーブルを参照してフィルタ回路１３のフィルタリング特性を制御したが、例えば、フィルタ回路１３を論理回路などにより構成し、マイクロコンピュータ２０がフィルタ回路１３にフィルタテーブルをロードすると、伝送データのうち、そのフィルタテーブルに示されている識別コードの番組データを通過させて該当するデコーダ回路に出力することもできる。
【００７３】
また、上述においては、伝送データが、動画データ、静止画データ、文字データおよび音声データを有する場合であるが、その伝送データには、ＭＩＤＩデータ、データベースにおけるデータ、マイクロコンピュータ２０により実行されるプログラムなどのバイナリデータ、ユーザを特定する情報のデータなどを含ませることもできる。
【００７４】
さらに、上述においては、図２に示す識別コードと番組データ（エンコード方式）との対応テーブルの対応関係は固定であるとしたが、この対応テーブルは放送局ごとに変更することができ、あるいは同じ放送局でも放送時刻などによって変更することもできる。その場合には、新しい対応テーブルを、例えば、各パケットの第１番目のパッケージにおける送信プライオリティテーブルとともに、放送局から受信機に送って使用すればよい。また、上述においては、各パケットの第１番目のパッケージに送信プライオリティテーブルを用意したが、所定の数ごとのパケットの第１番目のパッケージに送信プライオリティテーブルを用意することもできる。
【００７５】
2005020213.tif 000003
【００７６】
【発明の効果】
この発明によれば、受信機は画像および音声のすべての出力について、細かく設定しなくても放送局側の送信プライオリティテーブルにしたがって画像あるいは音声を出力することができる。また、受信機は、放送の形態、すなわち、どのようなデータが送信されてくるかをあらかじめ知っておく必要がない。さらに、放送局側は番組の意向を受信機側に知らせることができ、意図したデータを優先的に表示ないし再生することができる。
【図面の簡単な説明】
【図１】伝送データのフォーマットの一形態を示す図である。
【図２】データテーブルの一形態を示す図である。
【図３】送信プライオリティテーブルの一形態を示す図である。
【図４】受信機のプロファイルの一形態を示す図である。
【図５】受信プライオリティテーブルの一形態を示す図である。
【図６】フィルタ特性の一形態を示す図である。
【図７】送信側のシステム構成の一形態を示す図である。
【図８】受信機の一形態を示す図である。
【図９】処理ルーチンの一形態を示す図である。
【図１０】データテーブルの一形態を示す図である。
【図１１】送信プライオリティテーブルの一形態を示す図である。
【図１２】伝送データのフォーマットを示す図である。
【図１３】受信機の一例を示す図である。
【図１４】受信機の他の例を示す図である。
【符号の説明】
１０…受信機、１２…チューナ回路、１３…フィルタ回路、１４Ａ〜１４Ｄ…デコーダ回路、１５…映像処理回路、１６Ａおよび１６Ｂ…ディスプレイ、１７…音声処理回路、１８Ｌおよび１８Ｒ…スピーカ、２０…マイクロコンピュータ、２５…操作スイッチ
【図１】
2005020213.tif 000004
【図２】
2005020213.tif 000005
【図３】
2005020213.tif 000006
【図４】
2005020213.tif 000007
【図５】
2005020213.tif 000008
【図６】
2005020213.tif 000009
【図７】
2005020213.tif 000010
【図８】
2005020213.tif 000011
【図９】
2005020213.tif 000012
【図１０】
2005020213.tif 000013
【図１１】
2005020213.tif 000014
【図１２】
2005020213.tif 000015
【図１３】
2005020213.tif 000016
【図１４】
2005020213.tif 000017